(57)【要約】【課題】日中の野外や明るい照明の下でも、透過度を低下させずに、明度及びコントラストに優れた鮮明な映像を映し出すことのできるスクリーンを備えるとともに、多くの人の注意を喚起することができ、アンビエントディスプレイとして好適な映像表示システムを提供する。【解決手段】  金属系無機粒子を含有する基板からなるスクリーンと、前記スクリーンに映像又は動画を投影する映写装置と、前記スクリーンを振動体として音を生じさせる機能を有する振動スピーカーとを有することを特徴とする映像表示システム、及び金属系無機粒子を含有する層を有する基板からなるスクリーンと、前記スクリーンに映像又は動画を映写する映写装置と、前記スクリーンを振動体として音を生じさせる機能を有する振動スピーカーとを有することを特徴とする映像表示システム。【選択図】図１
2017126048.tif 000002
【特許請求の範囲】
【請求項１】
金属系無機粒子を含有する基板からなるスクリーンと、前記スクリーンに映像又は動画を投影する映写装置と、前記スクリーンを振動体として音を生じさせる機能を有する振動スピーカーとを有することを特徴とする映像表示システム。
【請求項２】
請求項１に記載の映像表示システムにおいて、前記基板が板ガラス又は曲面ガラスであることを特徴とする映像表示システム。
【請求項３】
請求項１に記載の映像表示システムにおいて、前記基板が透明又は不透明な高分子樹脂板であることを特徴とする映像表示システム。
【請求項４】
金属系無機粒子を含有する層を有する基板からなるスクリーンと、前記スクリーンに映像又は動画を映写する映写装置と、前記スクリーンを振動体として音を生じさせる機能を有する振動スピーカーとを有することを特徴とする映像表示システム。
【請求項５】
請求項４に記載の映像表示システムにおいて、前記基板が板ガラス又は曲面ガラスであることを特徴とする映像表示システム。
【請求項６】
請求項４に記載の映像表示システムにおいて、前記基板が透明又は不透明な高分子樹脂板であることを特徴とする映像表示システム。
【請求項７】
請求項５に記載の映像表示システムにおいて、前記金属系無機粒子を含有する層が金属系無機粒子を含有するガラスからなることを特徴とする映像表示システム。
【請求項８】
請求項５又は６に記載の映像表示システムにおいて、前記金属系無機粒子を含有する層が金属系無機粒子を含有する高分子樹脂からなることを特徴とする映像表示システム。
【請求項９】
請求項８に記載の映像表示システムにおいて、前記金属系無機粒子を含有する層が除去可能に設けられていることを特徴とする映像表示システム。
【請求項１０】
請求項１〜９のいずれかに記載の映像表示システムにおいて、前記金属系無機粒子が、酸化ジルコニウム粒子、酸化チタン粒子、酸化セリウム粒子、チタン酸バリウム粒子及び硫酸バリウム粒子からなる群から選ばれた少なくとも１種であることを特徴とする映像表示システム。
【請求項１１】
請求項１〜１０のいずれかに記載の映像表示システムにおいて、前記スクリーンがハードコート層を有することを特徴とする映像表示システム。
【請求項１２】
請求項１〜１１のいずれかに記載の映像表示システムにおいて、前記スクリーンがタッチセンサー機能を有していることを特徴とする映像表示システム。
【請求項１３】
請求項１〜１２のいずれかに記載の映像表示システムにおいて、さらに周辺の音を集音する集音装置と、音の位相を反転させる位相反転器とを有していることを特徴とする映像表示システム。
【請求項１４】
請求項１〜１３のいずれかに記載の映像表示システムにおいて、さらに通信機能を有していることを特徴とする映像表示システム。
【請求項１５】
請求項１〜１４のいずれかに記載の映像表示システムにおいて、前記スクリーンが電車、自動車、船舶又は飛行機の窓であることを特徴とする映像表示システム。
【請求項１６】
請求項１〜１４のいずれかに記載の映像表示システムにおいて、前記スクリーンが新幹線、地下鉄又は電車の安全柵に設けられた開閉扉の窓であることを特徴とする映像表示システム。
【請求項１７】
請求項１〜１４のいずれかに記載の映像表示システムにおいて、前記スクリーンがショーウインドウ、看板、パネル、案内表示板、ケース又は玄関に設けられた案内表示板であることを特徴とする映像表示システム。
【請求項１８】
請求項１〜１４のいずれかに記載の映像表示システムにおいて、前記スクリーンがテーブル又はカウンターの天板であることを特徴とする映像表示システム。
【発明の詳細な説明】
【技術分野】
【０００１】  本発明は、スクリーンに映像を表示する映像表示システムに関する。
【背景技術】
【０００２】  映像表示の分野の中で、液晶プロジェクタに代表される映像表示装置は、低コストで手軽に大画面の映像を得る手段として広く実用され、主に会議、商品発表会というように、多くの人々に同じ画面を見てもらいながらプレゼンテーションを行う場合に使われることが多い。さらに、商品紹介や店舗の宣伝を行う用途として、デジタルサイネージが使用されている。【０００３】  近年、アンビエントディスプレイと呼ばれる、表示デバイスを意識させず、自然に様々な情報をあらゆる面に表示する新たなディスプレイが提唱されている。アンビエントディスプレイとは、例えば、壁やガラス、床、机等の身の回りにある日常品を、必要なときにディスプレイとして使用する方式であり、特に窓ガラス、ショーウインドウ等の透明な面に、その透明性を損なうことなく情報表示することにより新たな価値を提供することが可能となる。【０００４】  例えば、国際公開第２０１２／１１４５１２号（特許文献１）は、光学的特性を変化させ、映像光が投影される部位を含む領域の光学状態を、透明状態から時間又は空間で変調された散乱状態に切り替えることのできるスクリーンを備えた表示装置を開示している。【０００５】  さらに特開２０１５−７９２０１号（特許文献２）は、投影した映像を反射する反射状態と、投影した映像を透過する透明状態とを、前記スクリーンの全面又は部分的に切り替え可能であるスクリーンを備えた映像表示システムを開示している。【０００６】  しかしながら、特許文献１及び特許文献２に記載のスクリーンは、透明状態で使用した場合、投影した映像を反射させる能力が低いため、明度及びコントラストの低い映像となってしまい、日中の野外はもちろん、少し明るい照明の下では鮮明な映像を観察できないという問題を有している。このため、透過度を低下させずに明度及びコントラストに優れた鮮明な映像を映し出すことのできるスクリーンの開発が望まれている。【０００７】  一方、特開２０１２−６８５８０号（特許文献３）は、窓ガラス、ガラスケース、パネル、テーブル、額縁等を振動体として音を生じさせる機能を有する振動スピーカーと、周辺の音を集音する集音装置とを備え、前記周囲の音を位相反転させて出力することによりノイズキャンセラー効果を発揮することのできる、特定の領域にいる人にだけ音声を伝達する音響装置を開示している。【０００８】  しかしながら、特許文献３に記載された技術を透過型のスクリーンを備えたシステムに適用しようとしても、前記と同様に、明るい照明の下でも鮮明な映像を映し出すことのできるスクリーンが存在しないため、適用できる環境が限られてしまう。【０００９】  特開２０１５−２１２８００号（特許文献４）は、樹脂層と、前記樹脂層中に少なくとも一部が凝集状態で含まれる無機粒子とを含んでなり、前記無機粒子の一次粒子が、０．１〜５０ｎｍのメジアン径を有し、かつ１０〜５００ｎｍの最大粒径を有し、前記無機粒子の含有量が、前記樹脂に対して０．０１５〜１．２質量％であり、前記無機粒子が、金属系粒子である透明スクリーン用フィルムを開示している。特許文献４は、この透明スクリーン用フィルムは、透過視認性を損なわずに、透明パーティション等に商品情報や広��等を鮮明に投射表示することができると記載している。【００１０】  特許文献４に記載の透明スクリーン用フィルムは、映像の視認性には優れているので、デジタルサイネージの目的での使用に適しているものの、映像の表示のみでは提供できる情報が限られている。従って、できるだけ多くの人の注意を喚起し、商品紹介や店舗の宣伝の効率を高めることのできる映像表示システムが望まれている。
【先行技術文献】
【特許文献】
【００１１】
【特許文献１】国際公開第２０１２／１１４５１２号
【特許文献２】特開２０１５−７９２０１号公報
【特許文献３】特開２０１２−６８５８０号公報
【特許文献４】特開２０１５−２１２８００号公報
【発明の概要】
【発明が解決しようとする課題】
【００１２】  従って、本発明の目的は、日中の野外や明るい照明の下でも、透過度を低下させずに、明度及びコントラストに優れた鮮明な映像を映し出すことのできるスクリーンを備えるとともに、多くの人の注意を喚起することができ、アンビエントディスプレイとして好適な映像表示システムを提供することである。
【課題を解決するための手段】
【００１３】  上記目的に鑑み鋭意研究の結果、本発明者らは、投影された映像を高い効率で反射及び散乱することのできる金属系無機粒子を有する基板が、高い透過度を有するとともに、明度及びコントラストに優れた鮮明な映像を映し出すことのできるスクリーンとして使用できることを見出し、本発明に想到した。【００１４】  すなわち、本発明の映像表示システムは、金属系無機粒子を含有する基板からなるスクリーンと、前記スクリーンに映像又は動画を投影する映写装置と、前記スクリーンを振動体として音を生じさせる機能を有する振動スピーカーとを有することを特徴とする【００１５】  本発明のもう一つの映像表示システムは、金属系無機粒子を含有する層を有する基板からなるスクリーンと、前記スクリーンに映像又は動画を映写する映写装置と、前記スクリーンを振動体として音を生じさせる機能を有する振動スピーカーとを有することを特徴とする。【００１６】  前記基板は板ガラス又は曲面ガラスであってもよいし、透明又は不透明な高分子樹脂板であってもよい。【００１７】  前記基板が板ガラス又は曲面ガラスである場合、前記金属系無機粒子を含有する層は金属系無機粒子を含有するガラス又は高分子樹脂からなるのが好ましい。【００１８】  前記基板が高分子樹脂板である場合、前記金属系無機粒子を含有する層は金属系無機粒子を含有する高分子樹脂からなるのが好ましい。【００１９】  前記金属系無機粒子を含有する層は除去可能に設けられているのが好ましい。【００２０】  前記スクリーンはハードコート層を有するのが好ましい。【００２１】  前記スクリーンはタッチセンサー機能を有しているのが好ましい。【００２２】  本発明の映像表示システムは、さらに周辺の音を集音する集音装置と、音の位相を反転させる位相反転器とを有しているのが好ましい。【００２３】  本発明の映像表示システムは、さらに通信機能を有しているのが好ましい。【００２４】  本発明の映像表示システムにおいて、前記スクリーンが電車、自動車、船舶又は飛行機の窓であるのが好ましい。【００２５】  本発明の映像表示システムにおいて、前記スクリーンが新幹線、地下鉄又は電車の安全柵に設けられた開閉扉の窓であるのが好ましい。【００２６】  本発明の映像表示システムにおいて、前記スクリーンがショーウインドウ、看板、パネル、案内表示板、ケース又は玄関に設けられた案内表示板であるのが好ましい。【００２７】  本発明の映像表示システムにおいて、前記スクリーンがテーブル又はカウンターの天板であるのが好ましい。
【発明の効果】
【００２８】  本発明の映像表示システムは、金属系無機粒子を使用することにより、高い透過性を保ったまま投影した映像を鮮明に高い明度で映し出すことができるスクリーンを備えているとともに、前記スクリーンを振動体として音を生じさせる機能を有する振動スピーカーを備えているので、より多くの情報を人々に提供し、人々の注意を大いに喚起することができる。そのため、本発明の映像表示システムを電車、自動車、船舶、飛行機等の窓ガラス、新幹線、地下鉄、電車の乗降口の扉や安全柵の開閉扉の窓、ショーウインドウ、看板、パネル、案内表示板、ガラスケース、玄関に設けられた案内表示板並びにテーブル、カウンターの透明天板に適用することにより、昼夜問わずどのような環境においても、高いパフォーマンス性に優れた映像表示及び音声・音楽等の出力を実現できる。
【図面の簡単な説明】
【００２９】
【図１】本発明の映像表示システムの第一の態様を示す模式図である。
【図２】本発明の映像表示システムの第二の態様を示す模式図である。
【図３】金属系無機粒子を含有する基板からなるスクリーンの一例を示す模式断面図である。
【図４】基板と金属系無機粒子を含有する層とを有するスクリーンの一例を示す模式断面図である。
【図５】基板と金属系無機粒子を含有する層とを有するスクリーンの他の一例を示す模式断面図である。
【図６】金属系無機粒子を含有する基板からなるスクリーン及び基板と金属系無機粒子を含有する層とを有するスクリーンにハードコート層を設けた例を示す模式断面図である。
【発明を実施するための形態】
【００３０】（１）全体構成
本発明の映像表示システムの第一の態様は、図１に示すように、スクリーン１と、前記スクリーンに映像又は動画を投影する映写装置２と、前記スクリーンを振動体として音を生じさせる機能を有する振動スピーカー３とを有し、前記スクリーン１は、金属系無機粒子を含有する基板、又は金属系無機粒子を含有する層を有する基板からなる。金属系無機粒子はガラスや高分子樹脂に比べて高い屈折率を有するため、これらの媒体中において良好な光散乱体として働き、ミー散乱により高い散乱効果を発揮する。そのため、透明な基板を用いた透過型スクリーンであっても明度及びコントラストの高い、鮮明な映像を映し出すことが可能となる。
【００３１】  本発明の映像表示システムの第二の態様は、図２に示すように、スクリーン１と、前記スクリーンに映像又は動画を投影する映写装置２と、前記スクリーンを振動体として音を生じさせる機能を有する振動スピーカー３と、周辺の音を集音する集音装置４と、音の位相を反転させる位相反転器（図示せず）とを有し、前記スクリーン１は、金属系無機粒子を含有する基板、又は金属系無機粒子を含有する層を有する基板からなる。
【００３２】  本発明の映像表示システムは、さらに通信機能を有していても良い。通信機能を有することにより、ＬＡＮ回線等を通じて配信された画像及び動画を投影することや、ユーザーの入力した各種情報をサーバーに送信し集計することなどが可能となる。
【００３３】（２）スクリーン
本発明の映像表示システムで用いるスクリーンは、図３に示すように、金属系無機粒子１００を含有する基板１１からなるスクリーン１０であってもよいし、金属系無機粒子を含有する層を有する基板からなるスクリーンであってもよい。金属系無機粒子を含有する層を有する基板からなるスクリーンは、図４に示すように、基板２１上に金属系無機粒子１００を含有する層２２が設けられたスクリーン２０、又は図５に示すように、基板３１と基板３１との間に金属系無機粒子１００を含有する層３２が挟まれたスクリーン３０であるのが好ましい。金属系無機粒子１００を含有する層２２及び金属系無機粒子１００を含有する層３２は、それぞれ基板２１及び基板３１と直接接するように設けられていても良いし、接着層又はその他の層（図示せず）を介して設けられていても良い。
【００３４】  前述したように、前記スクリーンは、金属系無機粒子が高い散乱効果を発揮する光散乱体として働き映像を映し出すため、金属系無機粒子がより高い濃度で、より薄い厚さで配置されているのが好ましい。金属系無機粒子を含有する層を有する基板からなるスクリーンの場合、基板の厚さに関わらず、金属系無機粒子を含有する層の厚さを調節できるので、高い濃度で薄い層を有するスクリーンを容易に設計することができる。また金属系無機粒子を含有する基板からなるスクリーンの場合、基板中に均一に金属系無機粒子を存在させるよりも、表面近くに多く存在する様にするのが好ましく、また基板表面に金属系無機粒子の一部が飛び出して露出しているような状態で存在させるのが好ましい。
【００３５】  本発明の映像表示システムには、図６（ａ）及び図６（ｂ）に示すように、さらにその表面にハードコート層４３，５３を有してなるスクリーン４０，５０を用いてもよい。またハードコート層に金属系無機粒子を含有させても良いし、金属系無機粒子を含有する層をハードコート層としても良い。
【００３６】  本発明の映像表示システムで用いるスクリーンは、透明な基板を用いたスクリーンで構成した場合にその効果をより発揮するが、もちろん不透明な基板を用いたスクリーンで構成しても良い。透明な基板を用いたスクリーンの場合、反射型スクリーンとして使用（投影側から観察）しても良いし、透過型スクリーン（投影側の反対側から観察）として使用しても良い。不透明な基板としては、結晶性の高分子、発泡性の高分子、着色されたガラス又は高分子、すりガラス等の不透明な高分子樹脂又はガラスを用いることができる。またこれらの一般的な基板に限らず、例えば、部屋の壁、建物の壁、車、電車、飛行機等のボディ等を基板として、金属系無機粒子を含有する層を設けてスクリーンとすることも可能である。
【００３７】（ｉ）金属系無機粒子を含有する基板
基板はガラス又は高分子樹脂の板からなるのが好ましい。これらの板状の基板は、平面状であっても良いし、曲面状であっても良い。ガラスとしては、ケイ酸塩ガラス、リン酸塩ガラス、ホウ酸塩ガラス等の酸化ガラスが実用的であり、特にケイ酸ガラス、ケイ酸アルカリガラス、ソーダ石灰ガラス、カリ石灰ガラス、鉛ガラス、バリウムガラス、ホウケイ酸ガラス等のケイ酸塩ガラスが好ましい。
【００３８】  高分子樹脂としては可視光の透過性に優れたものが好ましく、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂等の熱可塑性樹脂、熱硬化性樹脂、電離放射線硬化性樹脂等を用いることができる。
【００３９】  金属系無機粒子は、金属酸化物又は金属酸化物以外のものを微粒化したものが用いられる。金属酸化物としては、酸化ジルコニウム、酸化チタン、酸化亜鉛、酸化アルミニウム、酸化セリウム等を挙げることができ、金属酸化物以外としては、チタン酸バリウム、硫酸バリウム等を挙げることができる。特に、投射光の散乱性、粒子の凝集性及び製造コストの観点から、酸化ジルコニウム、酸化チタン粒子、酸化セリウム粒子、チタン酸バリウム及び硫酸バリウム粒子を用いるのが好ましい。これらの金属系無機粒子は、１種のみで使用しても良いし、２種以上を組み合わせて用いてもよい。
【００４０】  金属系無機粒子は、市販のものを使用してもよく、例えば、酸化ジルコニウム粒子としては、ＳＺＲ−Ｗ、ＳＺＲ−ＣＷ、ＳＺＲ−Ｍ、及びＳＺＲ−Ｋ等（以上、堺化学工業（株）製、商品名）を好適に使用することができる。
【００４１】  金属系無機粒子は、ガラス又は高分子樹脂中に一次粒子の単独で存在しても良いが、少なくとも一部が凝集した状態で存在するのが好ましい。一次粒子の単独で存在する場合も、凝集状態で存在する場合も、金属系無機粒子のメジアン径は、０．０１〜１μｍであるのが好ましい。金属系無機粒子のメジアン径が可視光の波長と同等以上になると前方散乱Ｓｆ（入射光に対してスクリーンの反対側で起こる散乱）が著しく強くなり、透過型スクリーンとして構成した場合、透過してくる光が滲んでしまう。従って、前記金属系無機粒子のメジアン径は１μｍ以下であり、４００ｎｍ以下であるのが好ましく、２００ｎｍ以下であるのがより好ましい。金属系無機粒子のメジアン径が０．０１μｍより小さくなると後方散乱Ｓｂ（入射光に対してスクリーンの手前側で起こる散乱）がほとんど起こらなくなり、透過型スクリーンの散乱反射性が低下する。金属系無機粒子のメジアン径は３０ｎｍ以上であるのが好ましい。
【００４２】  ガラス又は高分子樹脂中の金属系無機粒子の含有量は、ガラス又は高分子樹脂に対して０．０１〜１．５質量％、好ましくは０．０２〜１．２質量％、より好ましくは０．０５〜１．０質量％、最も好ましくは０．１〜０．８質量％である。ガラス又は高分子樹脂中の金属系無機粒子の含有量が上記範囲内であれば、透過視認性を損なわずに投射光の十分な散乱効果が得られるため、透明パーティション等に商品情報や広告等を鮮明に投射表示することができる。
【００４３】（ｉｉ）金属系無機粒子を含有する層を有する基板
基板及び金属系無機粒子は、前記金属系無機粒子を含有する基板と同様のものを使用できるので、ここでは説明を省略する。
【００４４】  金属系無機粒子を含有する層は、前記基板に用いることのできる高分子樹脂で形成するのが好ましい。基板及び金属系無機粒子を含有する層の両方を高分子樹脂で構成する場合、それらの樹脂は同じであっても異なっていてもよい。金属系無機粒子を含有する層の厚みは、特に限定されないが、０．５〜１０００μｍであるのが好ましく、１〜５００μｍであるのがより好ましく、２〜２００μｍであるのが最も好ましい。０．５μｍ未満の場合は十分な反射像が得られなくなり、１０００μｍを越えると像がぼけてしまう。
【００４５】  高分子樹脂中の金属系無機粒子の含有量は、高分子樹脂に対して０．０１〜１．５質量％、好ましくは０．０２〜１．２質量％、より好ましくは０．０５〜１．０質量％、さらに好ましくは０．１〜０．８質量％である。高分子樹脂中の金属系無機粒子の含有量が上記範囲内であれば、スクリーン用フィルムとして使用した場合に、透過視認性を損なわずに投射光の十分な散乱効果が得られるため、透明な基板を用いた透過型スクリーンであっても明度及びコントラストの高い、鮮明な映像を映し出すことが可能となる。
【００４６】  金属系無機粒子を含有する層は、金属系無機粒子を含有する樹脂溶液を基板上に塗装することにより形成しても良いし、あらかじめ作製した金属系無機粒子を含有する樹脂からなるシートを基板上に貼り付けて形成しても良い。また、密着性を改良するために、中間層を基板上に設けた後、金属系無機粒子を含有する層を設けても良い。塗装により金属系無機粒子を含有する層を形成する場合、熱又はＵＶ硬化性の樹脂を用いるのが好ましい。塗装方法としては、バーコート法、ディップコート法、フローコート法、スプレーコート法、スピンコート法、ローラーコート法等が挙げられる。
【００４７】  金属系無機粒子を含有する層は、除去可能に設けられていてもよい。例えば、普段はショーウインドウとして使用している板ガラスに、例えば何かのイベントのために、一時的にスプレーコート等の方法により金属系無機粒子を含有する層を設けて透明スクリーンとし、本発明の映像表示システムを構成し、そのイベント終了後には溶剤等によりショーウインドウ上に設けた金属系無機粒子を含有する層を拭き取るといった使用方法が可能である。
【００４８】（ｉｉｉ）ハードコート層
スクリーンには、さらにハードコート層を設けても良い。ハードコート層は、ハードコート剤を金属系無機粒子を含有する層の上に、塗装することにより形成する。密着性を改良するために、中間層を金属系無機粒子を含有する層上に設けた後、ハードコート剤を塗装してもよい。塗装方法としては、バーコート法、ディップコート法、フローコート法、スプレーコート法、スピンコート法、ローラーコート法等の方法が挙げられる。
【００４９】（ｉｖ）タッチセンサー
スクリーンは、さらにタッチセンサー機能を有していてもよい。タッチセンサー機能を有していることにより、情報を一方的に提供するだけでなく、ユーザーの意志で情報の選択を行うことができ、さらにユーザーからの情報入力等が可能となる。
【００５０】（３）映写装置
本発明の映像表示システムは、画像、動画等を投影するための映写装置２を有する。映写装置２は、ブルーレイディスク（ＢＤ）、ＤＶＤ等のメディアに保存されたデータ又はＬＡＮ回線によって配信されたデータを、映像出力部で処理し、画像及び動画にしてスクリーンに投影する。なお映像出力部から映写装置２に送られる電気信号は、有線で送信しても良いし、無線装置によって送信しても良い。
【００５１】（４）振動スピーカー
本発明の映像表示システムは、さらにスクリーンを振動体として音を生じさせる機能を有する振動スピーカーを有する。振動スピーカー３は、音声出力部から出力される電気信号を振動に変換し、振動体を振動させて音を発生させる電磁素子や圧電素子などで形成された振動素子を備え、スクリーン（窓ガラス、ショーウインドウ、看板、パネル等）に取り付けることによりスクリーンをスピーカーとして利用する装置である。なお音声出力部から振動スピーカー３に送られる電気信号は、有線で送信しても良いし、無線装置によって送信しても良い。
【００５２】（５）集音装置及び位相反転器
本発明の映像表示システムは、さらに周囲の音を集める集音マイクからなる集音装置４を有するのが好ましい。集音マイクで集めた音を音声入力部を介してシステム制御部に入力し、システム制御部に含まれる音の位相を反転させる機能を備えた位相反転器で、集めた音の位相を反転させた逆相ノイズを発生させ、音声出力部を介して振動スピーカー３から出力することによって、周囲の音を逆相ノイズで打ち消すことができる。すなわち、ノイズキャンセラーの効果を発揮させることにより、振動スピーカーからの音楽、音声、効果音などをより鮮明に視聴者に聴かせることができる。なお集音装置４から音声入力部に入力する信号は、有線で送信されても良いし、無線装置によって送信されても良い。
【００５３】  このように、周囲の音を逆相ノイズで打ち消すことにより、振動スピーカー３の設置されたスクリーン（窓ガラス、ショーウインドウ、看板、パネル等）の前の限られた領域の中のみ音楽、音声、効果音などが良く聞こえ、その領域を外れた位置では聞こえないという指向性を持った音響効果（音響マスキング）を演出することができる。
【００５４】  例えば、店舗や美術館の展示物のガラスケースやデパートのショーウインドウなどに振動スピーカー３を設置することで、展示用ガラスケースやショーウインドウの前に立ち止まっている人々にのみ飾られた作品や商品の案内を、人が語りかける程度の音量で伝達することができる。
【符号の説明】
【００５５】１・・・スクリーン
２・・・映写装置
３・・・振動スピーカー
４・・・集音装置
１００・・・金属系無機粒子
１１，２１，３１，４１，５１・・・基板
２２，３２，５２・・・金属系無機粒子を含有する層
１０，２０，３０，４０，５０・・・スクリーン
４３，５３・・・ハードコート層
【図１】
2017126048.tif 000003
【図２】
2017126048.tif 000004
【図３】
2017126048.tif 000005
【図４】
2017126048.tif 000006
【図５】
2017126048.tif 000007
【図６】
2017126048.tif 000008